(57)【特許請求の範囲】
【請求項１】
ヒトのケラチン物質に適用されるよう意図される、着色インクの少なくとも１つの層（４１、…、４ｎ）で印刷された少なくとも１つの領域（３１、…、３ｎ）を有する印刷表面（３）を画定する基材（２）を含むメークアップデバイス（１）であって、前記少なくとも１つの着色インクが、
−  少なくとも１つのデジタルプリンタによる印刷によって、前記印刷表面（３）に堆積しており、
−  接着剤で覆われておらず、かつ
−  前記ケラチン物質への適用後に、色及び／又は明るさのうち、少なくとも１つの視認できる光学的効果を生じ、
前記デバイス（１）が、少なくとも３つの領域（３１、…、３ｎ）を含み、それぞれの領域は、少なくともケラチン物質への適用後に生じる色によって互いに異なる、メークアップデバイス（１）と、
前記デバイスの前記着色インクの全て又はいくつかをヒトのケラチン物質に適用するためのアプリケータ（１０）とを同じパッケージング内に含む化粧用アセンブリ（６０）。
【請求項２】
前記少なくとも１つの層（４１、…、４ｎ）が、ヒトのケラチン物質に適用されるよう意図され、かつ前記ケラチン物質への適用により、媒体液体化合物を添加せずにメークアップ結果を生じることができる、１つ又は複数のインクを含む、請求項１に記載の化粧用アセンブリ（６０）。
【請求項３】
着色インクの少なくとも２つの層（４１、…、４ｎ）が、前記領域（３１、…、３ｎ）を接続する経路（Ｃ）に沿って、同じ光学的効果の色のグラデーションを生じ、かつ／又は前記少なくとも１つの領域（３１、…、３ｎ）がインジケータ（２０１、…、２０ｎ）に関連し、これにより、前記少なくとも１つの領域によって支えられる前記層の着色インクが適用されるよう意図される前記ケラチン物質のエリアの場所に関する情報を提供することを可能にする、請求項１又は２のいずれか一項に記載の化粧用アセンブリ（６０）。
【請求項４】
前記着色インクの層（４１、…、４ｎ）が、油性物質を含み、かつ／又は前記基材（２）が、非吸収性材料で作製されている、請求項１から３のいずれか一項に記載の化粧用アセンブリ（６０）。
【請求項５】
前記着色インクの層（４１、…、４ｎ）が、少なくとも前記着色インクの層の色により異なる様々な領域に配置されている、請求項１から４のいずれか一項に記載の化粧用アセンブリ（６０）。
【請求項６】
前記少なくとも１つの層（４１、…、４ｎ）の前記印刷が、４色印刷によって、又は４よりも多い異なる色のインクで実施される、請求項１から５のいずれか一項に記載の化粧用アセンブリ（６０）。
【請求項７】
前記インクが水性であり、かつ／又は
前記インクが粉状である、請求項１から６のいずれか一項に記載の化粧用アセンブリ（６０）。
【請求項８】
少なくとも１つのプリンタを使用して、化粧用着色インクの少なくとも１つの層（４１、…、４ｎ）を、基材（２）の印刷表面（３）の少なくとも１つの領域（３１、…、３ｎ）に印刷する段階を含む、請求項１から７のいずれか一項に記載の化粧用アセンブリ（６０）のデバイス（１）を製造するための方法。
【請求項９】
印刷前に、印刷される前記着色インクのうちの１つ又は複数で被覆された前記ケラチン物質の外観をシミュレーションする段階（３４）を含み、前記被覆されたケラチン物質の外観のシミュレーション（３４）が、機械のスクリーンに表示される、請求項８に記載の方法。
【請求項１０】
データ記憶媒体に、製造される前記デバイスに関する情報を記録する段階（３５）を含む、請求項８又は９に記載の方法。
【請求項１１】
前記層（４１、…、４ｎ）の着色インクの選択が、メークアップされる前記ケラチン物質の外観に関する情報に従ってなされる、請求項８から１０のいずれか一項に記載の方法。
【請求項１２】
前記少なくとも１つのプリンタが、前記着色インクの層の第１の画分を得ることを可能にする印刷の第１ラウンドを行った後、前記第１の画分に重ねられる前記着色インクの層の第２の画分を得ることを可能にする印刷の少なくとも１つの第２ラウンドを行う、請求項８から１１のいずれか一項に記載の方法。
【請求項１３】
コンピュータ媒体に記憶された前記着色インクの層（４１、…、４ｎ）の性質に関する情報を回収する段階を含み、前記印刷が前記情報に従って実施される、請求項８から１２のいずれか一項に記載の方法。
【請求項１４】
ヒトのケラチン物質をメークアップするための方法であって、請求項１から１０のいずれか一項に記載の化粧用アセンブリ（６０）のデバイス（１）に存在する少なくとも１つの着色インクの全て又はいくつかを、前記ヒトのケラチン物質に適用する段階を含む、方法。
【発明の詳細な説明】
【技術分野】
【０００１】
本発明は、印刷によって堆積した１つ又は複数の着色インクを有するメークアップデバイスに関する。
【背景技術】
【０００２】
皮膚にパターンの転写物を得るために、媒体液体の添加を必要とするデカール転写を使用して、皮膚に化粧パターンを生じさせることは、既知である。
【０００３】
更に、別個の色を生じる１つ又は複数の異なるメークアップ組成物を一緒に集めた他のメークアップデバイス、例えばパレットも既知である。
【先行技術文献】
【特許文献】
【０００４】
【特許文献１】米国特許第５０３２６７０号明細書
【特許文献２】米国特許第４９９９４１８号明細書
【特許文献３】米国特許第５１０６９４２号明細書
【特許文献４】米国特許第５０３０７０８号明細書
【特許文献５】米国特許第５１０２９８０号明細書
【特許文献６】米国特許第５０４３３７６号明細書
【特許文献７】米国特許第５１０４９１３号明細書
【特許文献８】米国特許第５２８１６５９号明細書
【特許文献９】米国特許第５１９４４６３号明細書
【特許文献１０】米国特許第４８０４７１９号明細書
【特許文献１１】国際公開第９２／０７９１３号
【特許文献１２】欧州特許第１０４８２８２号明細書
【特許文献１３】国際公開第０２／３６０８３号
【特許文献１４】欧州特許第１４１０７８５号明細書
【特許文献１５】欧州特許第９３８８８７号明細書
【発明の概要】
【発明が解決しようとする課題】
【０００５】
しかし、このようなデバイスは、必ずしも使用者の好みに適さない比較的限定された範囲の色を、使用者に提供する。したがって、このようなデバイスは、得ることができるメークアップ効果を限定し、使用者が自身の好きなようにメークアップをカスタマイズできない。デバイスは、存在する様々なタイプの皮膚に適さないことがある。
【０００６】
新しいメークアップデバイスの利益を享受することへのニーズがある。
【０００７】
また、複雑かつカスタマイズされたメークアップ結果を単純に得ることを可能にするメークアップデバイスを得ることへのニーズがある。
【０００８】
本発明は、これらのニーズの全て又はいくつかを満たすことを対象とする。
【課題を解決するための手段】
【０００９】
第１の態様によると、本発明は、ヒトのケラチン物質に適用されるよう意図される、少なくとも１つの着色インクの少なくとも１つの層で印刷される少なくとも１つの領域、特に複数の領域を有する印刷表面を画定する基材を含むメークアップデバイスであって、前記着色インクの少なくとも１つの層が、
−  少なくとも１つのプリンタによる印刷によって、印刷表面に堆積しており、
−  接着剤で覆われておらず、かつ
−  着色インクが、ケラチン物質への適用及び転写後に、色及び／又は明るさのうち、少なくとも１つの視認できる光学的効果を生じる、メークアップデバイスに関する。
【００１０】
デバイスは、例えば複数の領域を含み、領域のうちのそれぞれは、異なる化粧用着色インクの層で印刷され、着色インクは、ヒトのケラチン物質に適用されるよう意図され、インクの層は、少なくとも１つのプリンタによる印刷によって、基材に堆積しており、接着剤で覆われておらず、各着色インクは、ケラチン物質への適用後に、色及び明るさから選択される少なくとも１つの異なる視認できる光学的効果を生じる。
【００１１】
この態様の別の態様によると、本発明は、少なくとも１つの領域、又は複数の領域を有する基材を含むメークアップデバイスであって、領域のうちのそれぞれは、異なる化粧用着色インクの層を有し、着色インクは、ヒトのケラチン物質に適用されるよう意図され、かつケラチン物質への適用により、媒体液体化合物を添加せずにメークアップ結果を生じることができ、着色インクの各層は、少なくとも１つのプリンタによる印刷によって、基材に堆積しており、かつケラチン物質への適用後に、色及び明るさから選択される少なくとも１つの異なる視認できる光学的効果を生じる、メークアップデバイスに関する。
【００１２】
本発明は、特にメークアップデバイスを、化粧用着色インクを印刷することにより製造されるパレットの形態で得ることを可能にする。
【００１３】
プリンタを使用した印刷により得られる着色インクの層の使用は、標準的なメークアップデバイスと比較して、有利に、複雑かつカスタマイズ可能なメークアップ結果を得ることを可能にする。
【００１４】
層は、１つ又は複数のインクを含んでもよい。インクの２つの層は、構成されるインクの化学的性質、又は各インクの相対的な割合により、異なっていてもよい。本発明は、使用者がその色を選択することを可能にするので、限定された、又は更には適さない色の選択肢に制限されることを回避する。使用者に与えられる色の豊かさは、印刷によって可能であって、特に魅力的な効果を生じ、かつ、例えば使用者の自然の又は日焼けした肌の色に可能な限り似ているメークアップ結果を得ることを可能にする。
【００１５】
本発明は、有利に、着色インクの層を有するカスタマイズされたメークアップデバイスであって、層のうちの少なくとも１つが、使用者の肌の色に対応する色を生じるメークアップデバイスを使用者が生成することを可能にし、これにより、非常に自然なメークアップ結果を達成することを可能にする。
【００１６】
着色インクの層の全て又はいくつかは、１つ又は複数の以下に記載する着色剤を含んでもよい。
【００１７】
好ましくは、デバイスに存在する着色インクの層の全て又はいくつかは、空気と接触した状態で、正常湿度（相対湿度５５％）及び２０℃で、大気圧下で、印刷から１５分後に、特に２４時間後に、更に良好には７日後に、完全には乾燥しない。
【００１８】
完全には乾燥していない層からの着色インクのケラチン物質への適用は、インクの転写を容易にする。
【００１９】
着色インクの層の全て又はいくつかは、印刷表面によって支えられている場合、ケラチン物質への適用直前に流体形態であってもよい。着色インクが顔料及び／又は微粒子フィラーを含まないことが可能である。これは、インクジェットによるデジタル印刷の技術の使用を容易にする。
【００２０】
有利には、インクは、２５℃での粘度が、１ｍＰａ．ｓ〜５００ｍＰａ．ｓ、好ましくは１ｍＰａ．ｓ〜３００ｍＰａ．ｓの範囲である。
【００２１】
インクの粘度は、当業者に既知の任意の方法により、特に以下の慣用的方法にしたがって測定することができる。２５℃で、２００ｒｐｍで回転するスピンドルを備えるＲｈｅｏｍａｔ  １８０粘度計を使用して、当業者は、測定を行うことができるように、一般知識に基づいてスピンドルＭ１、Ｍ２、Ｍ３及びＭ４から粘度を測定するためのスピンドルを選択することができる。
【００２２】
一変形例では、インクは、例えば不活性化定着装置（ｄｅａｃｔｉｖａｔｅｄ  ｆｕｓｅｒ）を有するレーザープリンタによって、粉状形態で印刷表面に堆積する。
【００２３】
例示的な一実施形態では、着色剤は、着色インクの全て又はいくつかにおいて、インクの総質量に対して質量含有量０．０１％〜６０％の範囲、好ましくは０．１％〜４０％の範囲、優先的には０．１％〜２０％の範囲で存在する。着色剤は、優先的には、１つ又は複数の染料から構成される。
【００２４】
例示的な一実施形態では、着色インクの全て又はいくつかは、液体溶媒、例えば水を含み、この液体溶媒の中に着色剤が存在しており、液体溶媒は、着色インクのそれぞれにおいて、質量含有量２０％〜９８％の範囲、又は３０％〜９０％の範囲、そうでなければ４０％〜８０％の範囲で存在する。
【００２５】
別の例示的な実施形態では、特にレーザープリンタが使用される場合、着色インクは液体溶媒を含有しない。
【００２６】
例示的な一実施形態では、本発明によるデバイスの基材は、少なくとも１つの半透明又は透明なエリアを含む。半透明又は透明なエリアは、着色インクの層と全体的に又は部分的に重なってもよい。基材の透明なエリアが化粧用インクで被覆されていないことが有用であることがあり、これは、基材を皮膚に適用し、インクの色を皮膚の色と比較することが可能になるからである。
【００２７】
着色インクの層は、着色インクの層全体が、半透明又は透明なエリアに重ねられてもよい。変形例として、着色インクのいくつかの層のみが、透明なエリアに重ねられる。
【００２８】
基材は、透明又は半透明な材料で全体が作製されてもよい。この場合、半透明又は透明なエリアは、基材の表面全体にわたって延びる。変形例として、基材は、その表面の全部又は一部にわたって不透明である。
【００２９】
基材は、可撓性シート又は剛性プレートであってもよい。基材は、プラスチック（例えばポリエチレン又はポリスチレン）で作製されてもよい。基材は、織布又は不織布であってもよい。基材は、有機又は鉱物材料で作製されてもよい。基材は、アルミニウム箔であってもよい。
【００３０】
例示的な一実施形態では、基材は、着色インクの層が印刷される１つ又は複数のハウジングを含み、これは、特に非常に流動性のインク、又は粉末形態のインクの場合に、異なる色の２つのエリアの間の混合を防ぐことを可能にする。
【００３１】
例示的な一実施形態では、いくつかの異なる化粧用着色インクは、インクの同じ層内に存在する。変形例として、領域の全て又はいくつかは、単一の化粧用着色インクから形成される層を有する。
【００３２】
着色インクは、有利には、少なくとも１つのデジタルプリンタによる印刷により、基材に堆積した。
【００３３】
印刷により得られる着色インクの層の全て又はいくつかは、ラスタスポット及び／又はラスタ線の形態で印刷されてもよく、これによりハーフトーン画像、例えば単色又は多色画像を形成してもよい。
【００３４】
着色インクの層は、異なる色のいくつかの着色インクを含んでもよく、それぞれがラスタスポットで堆積してもよい。
【００３５】
着色インクの全て又はいくつかは、可視範囲（４００ｎｍ〜８００ｎｍ）の白色光の下で観察される際に、有色であってもよい。変形例として、着色インクは可視領域の白色光の下で無色であるが、例えば、着色インクがフォトクロミック顔料又は蛍光顔料を含有する場合、化学的及び／又はエネルギー刺激、例えばＵＶ（３６５ｎｍ〜４００ｎｍ）への曝露を受ける際に、有色に見えてもよい。
【００３６】
印刷表面がいくつかの領域を含む場合、それぞれの領域の着色インクは互いに異なり、好ましくは、少なくともケラチン物質への適用後に生じる色によって、互いに異なる。
【００３７】
ケラチン物質の様々なエリアに適用されるよう意図される、様々なタイプの着色インクを使用してもよい。
【００３８】
着色インクの全て又はいくつかは、皮膚のメークアップ組成物であってもよく、例えば頬又はまぶたに適用されるよう意図される組成物であってもよい。したがって、着色インクの全て又はいくつかは、ファンデーション又はアイライナー又はアイシャドー組成物であってもよい。
【００３９】
着色インクの全て又はいくつかは、唇のメークアップ組成物であってもよく、例えば口紅又はリップグロスであってもよい。
【００４０】
着色インクの全て又はいくつかは、睫毛のメークアップ組成物、例えばマスカラ組成物であってもよく、又は毛髪をメークアップするための組成物、若しくは体毛をマスクするための組成物であってもよい。
【００４１】
同じデバイスに存在する着色インクは全て、ケラチン物質の同じエリア、例えば顔に適用されるよう意図されてもよい。同じデバイスに存在する着色インクは、例えば全てファンデーション組成物である。変形例として、同じデバイスは、それぞれケラチン物質の異なるエリアに適用されるよう意図される、着色インクの２つの層を含んでもよい。例えば、第１の層の着色インクは、皮膚に適用されるよう意図され、第１の層のインクとは異なる第２の層の着色インクは、唇又は睫毛に適用されるよう意図される。
【００４２】
好ましくは、着色インクの全て又はいくつかは、媒体液体化合物を添加せずに、特に媒体液体を添加せずに、ケラチン物質に転写可能である。言い換えると、着色インクの全て又はいくつかは、メークアップされるよう意図されるエリアと着色インクとの単純な接触によってケラチン物質に転写することができ、デカール転写の場合のように、インクの転写を改善するよう意図される媒体液体を適用する必要がない。
【００４３】
例示的な一実施形態では、着色インクの層のうちの少なくとも１つは、基材の印刷表面に印刷され、皮膚の起伏及び／又は色の不均一性の外観を再現するパターンを形成する。
【００４４】
デバイスは、単一の領域を含んでもよい。
【００４５】
例示的な一実施形態では、デバイスは少なくとも２つ、又は更には３つ、好ましくは少なくとも４つの領域を含み、このそれぞれに、着色インクの層が印刷によって堆積している。
【００４６】
デバイスは、着色インクを有する領域の全て又はいくつかを分離する１つ又は複数の起伏、例えばリブを有してもそうでなくてもよい。変形例として、デバイスは着色インクを有する領域を分離する起伏を含まない。
【００４７】
例示的な一実施形態では、着色インクの層を有する少なくとも２つの領域は接触している。特に、着色インクの層を有する領域のうちのそれぞれは、１つ又は複数の他の領域と接触している。変形例として、着色インクの層を有する領域は、互いに接触していない。
【００４８】
メークアップデバイスは、好ましくはパレットの形態である。メークアップデバイスは、長さ／厚さの比率が１０以上であってもよい。
【００４９】
長さは、着色インクを有する表面側の正面からデバイスが観察された際に測定されるデバイスの最も大きな寸法に対応する。厚さは、側面からデバイスが観察された際のデバイスの最も大きな寸法に対応する。
【００５０】
例示的な一実施形態では、いくつかの領域の着色インクの層は、これらの領域を接続する経路に沿って、光学的効果のグラデーションを生じ、かつ／又は領域のそれぞれが、インジケータ、好ましくは基材によって支えられたインジケータに関連し、これにより、この領域によって支えられる着色インクが適用されるよう意図されるケラチン物質のエリアの場所に関する情報を提供することを可能にする。
【００５１】
Ｌ、Ｃ＊、ｈ、ａ及びｂから選択される少なくとも１つの比色特性は、様々な領域の間で、連続的に展開し得る。
【００５２】
色の様々な構成要素は、比色空間ＣＩＥ１９７６（Ｌ＊、ａ＊、ｂ＊）又はＣＩＥＬＡＢで定義される。値ａ＊は、赤／緑軸上の位置に相当し、値ｂ＊は、青／黄軸上の位置に相当する。彩度Ｃ＊は、量（ａ＊２＋ｂ＊２）１／２に相当する。色相角ｈは、量ａｒｃｔａｎ（ａ＊／ｂ＊）に相当する。Ｌ＊は、明度を示す。
【００５３】
有利には、着色インクの層は、領域を接続する経路に沿って、色のグラデーションを生じる。
【００５４】
色のグラデーションを有するデバイスの使用は有利である。なぜなら、これにより、メークアップされるよう意図されるケラチン物質の色相に最も適した色を使用者が選択することが可能になるからである。
【００５５】
用語「経路に沿った光学的効果のグラデーション」は、着色インクが、この経路に沿って、明らかに異なる光学的効果の程度を有する少なくとも２つのエリアを有し、光学的効果の程度の変化が、前記経路に沿って動く際に、これらの２つの領域の間で連続的又は区分的に連続的であることを意味すると理解されるべきである。
【００５６】
経路は直線的であってもよい。言い換えると、着色インクは、一方向に沿って、光学的効果のグラデーションを有してもよい。変形例として、経路は直線的以外であってもよく、例えば折れ線若しくは曲線、又は更には正弦曲線であってもよい。
【００５７】
メークアップされるケラチン物質のエリアに関する情報を提供するインジケータの存在は、有利に、使用者がメークアップ結果を生じる助けとなることを可能にするツールを構成する。
【００５８】
着色剤
着色インクは、水溶性染料、脂溶性染料、粉状着色剤、例えば顔料、特に真珠光沢剤、及び光輝性フレーク、又は代わりに着色ポリマーから選択される１つ又は複数の着色剤を含んでもよい。
【００５９】
着色剤は、着色インク中に、着色インクの総質量に対して０．０１〜４０質量％、好ましくは０．１〜３０質量％、優先的には０．５〜２０質量％の範囲の含有量で存在してもよい。
【００６０】
用語「顔料」は、化粧用媒体に不溶性であり、着色インクを着色するように意図される任意の形態の白色又は有色の鉱物又は有機粒子を意味すると理解されるべきである。
【００６１】
用語「真珠光沢剤」は、特にある種の軟体動物によりその殻で生成されるか、そうでなければ合成される、任意の形態の虹色の粒子を意味すると理解されるべきである。
【００６２】
顔料は、白色でも有色でもよく、鉱物性及び／又は有機性であってもよい。挙げることができる鉱物顔料の中に、二酸化チタン、任意選択により表面処理されていてもよい酸化ジルコニウム又は酸化セリウム、及び更に酸化亜鉛、酸化鉄（黒色、黄色又は赤色）又は酸化クロム、マンガンバイオレット、群青、クロム水和物及びフェリックブルー、並びに金属粉末、例えばアルミニウム粉末及び銅粉末がある。
【００６３】
挙げることができる有機顔料の中に、カーボンブラック、Ｄ＆Ｃ及びＦＤ＆Ｃタイプの顔料、並びにコチニールカルミン系のレーキ、又はバリウム、ストロンチウム、カルシウム若しくはアルミニウム系のレーキがある。
【００６４】
真珠光沢顔料は、チタン又はオキシ塩化ビスマスで被覆されているマイカ等の白色真珠光沢顔料、酸化鉄で被覆されているチタンマイカ、特にフェリックブルー又は酸化クロムで被覆されているチタンマイカ、有機顔料で被覆されているチタンマイカ、並びにオキシ塩化ビスマス系の真珠光沢顔料等の有色真珠光沢顔料から選択され得る。
【００６５】
水溶性染料の中で、ポンソー（ｐｏｎｃｅａｕ）の二ナトリウム塩、アリザリングリーンの二ナトリウム塩、キノリンイエロー、アマランサスの三ナトリウム塩、タートラジンの二ナトリウム塩、ローダミンの一ナトリウム塩、フクシンの二ナトリウム塩、キサントフィル及びメチレンブルーを挙げることができる。脂溶性染料の中で、Ｓｕｄａｎ  Ｒｅｄ  ＩＩＩ（ＣＴＦＡ：Ｄ＆Ｃ  Ｒｅｄ  １７）、ルテイン、キニザリングリーン（ＣＴＦＡ：Ｄ＆Ｃ  Ｇｒｅｅｎ  ６）、アリズロールパープルＳＳ（ＣＴＦＡ：Ｄ＆Ｃ  Ｖｉｏｌｅｔ  ２）、Ｓｕｄａｎブラウン、Ｄ＆Ｃ  Ｙｅｌｌｏｗ  １１、Ｄ＆Ｃ  Ｏｒａｎｇｅ  ５、キノリンイエロー、クルクミン、カロテノイド誘導体、例えばリコペン、ベータ−カロテン、ビキシン又はカプサンチン、及びそれらの混合物を挙げることができる。染色ポリマーは一般に、少なくとも２つの異なるモノマーに基づくコポリマーであり、モノマーのうちの少なくとも１つはモノマー有機染料である。このようなポリマー染料は、当業者に既知である。例えば、以下の文献：米国特許第５０３２６７０号明細書；米国特許第４９９９４１８号明細書；米国特許第５１０６９４２号明細書；米国特許第５０３０７０８号明細書；米国特許第５１０２９８０号明細書；米国特許第５０４３３７６号明細書；米国特許第５１０４９１３号明細書；米国特許第５２８１６５９号明細書；米国特許第５１９４４６３号明細書；米国特許第４８０４７１９号明細書；国際公開第９２／０７９１３号又は欧州特許第１０４８２８２号明細書を参照することができる。
【００６６】
着色インクは、１つ又は複数の着色剤を含んでもよく、特にフォトクロミック顔料、すなわちある一定の周波数の光源に照射された際に色を変化させ、照射を止めた際に最初の色、又は同様の色を取り戻す特性を有する着色剤を含んでもよい。フォトクロミック着色剤の中で、特に以下を挙げることができる：
−  複合鉱物フォトクロミック化合物、より特定すると、ドープされたアルミノケイ酸塩並びに金属酸化物及び金属酸化物水和物、例えば国際公開第０２／３６０８３号に記載されるもの；
−  フォトクロミックナフトピラン化合物、特に、３Ｈ−ナフト［２，１−ｂ］ピラン又は２Ｈ−ナフト［１，２−ｂ］ピラン、例えば３，３−ビス（４−メトキシフェニル）−６−モルホリノ−３Ｈ−ナフト［２，１−ｂ］ピラン、３−フェニル−３−（４−モルホリノフェニル）−６−モルホリノ−３Ｈ−ナフト［２，１−ｂ］ピラン、３−フェニル−３−（４−ピペリジノフェニル）−６−モルホリノ−３Ｈ−ナフト［２，１−ｂ］ピラン、３−フェニル−３−（４−ピペリジノフェニル）−６−カルボキシメチル−９−Ｎ−ジメチル−３Ｈ−ナフト［２，１−ｂ］ピラン又は２−フェニル−２−（４−ピペリジノフェニル）−５−カルボキシメチル−９−Ｎ−ジメチル−２Ｈ−ナフト［１，２−ｂ］ピラン。このような化合物は、特許出願欧州特許第１４１０７８５号明細書に記載されている；
−  ジアリールエテン又はフルギド化合物、例えば欧州特許第９３８８８７号明細書に記載されるもの。
【００６７】
また、着色インクは、１つ又は複数のフィラーを含んでもよく、特に、着色インクの総質量に対して、０．０１〜５０質量％の範囲、好ましくは０．０１〜３０質量％の範囲の含有量で含んでもよい。
【００６８】
用語「フィラー」は、着色インクが製造される温度にかかわりなく、着色インクの媒体に不溶性である、無色又は白色の、鉱物又は合成の、任意の形状の粒子を意味すると理解されるべきである。
【００６９】
これらのフィラーは、着色インクのレオロジー又はテクスチャを改変するために特に役立つ。
【００７０】
フィラーは、鉱物でも、有機物でもよく、結晶形（例えば、層状、立方晶、六方晶、斜方晶等）にかかわりなく、任意の形状、血小板状、球状又は長方形とすることができる。タルク、マイカ、シリカ、カオリン、ポリアミド［Ｎｙｌｏｎ（登録商標）］粉末［Ａｔｏｃｈｅｍ社からのＯｒｇａｓｏｌ（登録商標）］、ポリ−β−アラニン粉末及びポリエチレン粉末、テトラフルオロエチレンポリマー［Ｔｅｆｌｏｎ（登録商標）］粉末、ラウロイルリジン、デンプン、窒化ホウ素、ポリ塩化ビニリデン／アクリロニトリルミクロスフェア等の中空ポリマーミクロスフェア、例えば、Ｅｘｐａｎｃｅｌ（登録商標）（Ｎｏｂｅｌ  Ｉｎｄｕｓｔｒｉｅ社）、アクリル酸コポリマーミクロスフェア［Ｄｏｗ  Ｃｏｒｎｉｎｇ社からのＰｏｌｙｔｒａｐ（登録商標）］、及びシリコーン樹脂ミクロビーズ［例えば、東芝株式会社からのＴｏｓｐｅａｒｌｓ（登録商標）］、エラストマーのポリオルガノシロキサン粒子、沈降炭酸カルシウム、炭酸マグネシウム、炭酸水素マグネシウム、ヒドロキシアパタイト、中空シリカミクロスフェア［Ｍａｐｒｅｃｏｓ社からのＳｉｌｉｃａ  Ｂｅａｄｓ（登録商標）］、ガラス若しくはセラミックのマイクロカプセル、並びに８〜２２個の炭素原子、好ましくは１２〜１８個の炭素原子を含有する有機カルボン酸に由来する金属石けん、例えばステアリン酸亜鉛、ステアリン酸マグネシウム、ステアリン酸リチウム、ラウリン酸亜鉛又はミリスチン酸マグネシウムを挙げることができる。
【００７１】
また、着色インクは、皮膜形成ポリマー等の追加のポリマーを含むことができる。用語「皮膜形成ポリマー」は、それ自体によって又は補助的皮膜形成剤の存在下で、支持体に、特にケラチン物質に接着する連続的な皮膜を形成可能なポリマーを意味するよう意図される。着色インクで使用され得る皮膜形成ポリマーの中で、ラジカルタイプ又は重縮合タイプの合成ポリマー、天然由来のポリマー、及びそれらの混合物、特にアクリルポリマー、ポリウレタン、ポリエステル、ポリアミド、ポリ尿素、及びセルロース系ポリマー、例えばニトロセルロースを挙げることができる。
【００７２】
言うまでもなく、当業者であれば、着色インクの有利な特性が、想定される添加によって、全く又は実質的に悪影響を受けないように、これらの任意選択の追加の化合物及び／又はそれらの量を慎重に選択することになる。
【００７３】
化粧用に許容される媒体
本発明による着色インクは、化粧用に許容される媒体、すなわち、顔又は身体の皮膚、唇、毛髪、睫毛、眉毛、及び爪等のケラチン物質と適合性である媒体を構成する。
【００７４】
また、例示的な一実施形態では、着色インクの全て又はいくつかは、沸点が１２０℃以上、特に１２０℃〜３５０℃の範囲、特に１２０℃〜３００℃の範囲の転写化合物も含む。
【００７５】
また、別の例示的な実施形態では、着色インクの全て又はいくつかは、沸点が２００℃以上、特に２００℃〜３５０℃の範囲の転写化合物も含む。
【００７６】
また、インクは水を含有してもよい。
【００７７】
転写化合物は、有利には、室温（２５℃）で液体形態である。
【００７８】
転写化合物は、好ましくは、グリセロール（沸点：２９０℃）、エチレングリコール（沸点：１９７℃）、ジエチレングリコール（沸点：２４５℃）、トリエチレングリコール（沸点：２８５℃）、１，５−ペンタンジオール（沸点：２４２℃）、１−ペンタノール（沸点：１３８℃）、１−ヘキサノール（沸点：１５７℃）、ベンジルアルコール（沸点：２０５℃）、１−ヘキサナール（沸点：１３０℃）、１−ヘプタナール（沸点：１５３℃）、２−ピロリドン（沸点：２４５℃）、Ｎ−メチル−２−ピロリドン（沸点：２０３℃）、Ｎ−エチルピロリジン（沸点：２１１℃）、炭酸プロピレン（沸点：２４０℃）、１，３−ジアミノプロパン（沸点：１４０℃）、２−イミダゾリジノン（沸点：１３１℃）、２−アミノ−１−ブタノール（ｂ．ｐ．＝１７８℃）、２−アミノプロパノール（沸点：１７３℃）、エタノールアミン（沸点：１７１℃）、酢酸ブチル（沸点：１２６℃）、及びそれらの混合物から選択される。
【００７９】
本発明の第１の実施形態によると、転写化合物は、２５℃で水に混和性であり（特に水への溶解性が少なくとも５質量％である）、好ましくは、Ｃ５〜Ｃ６モノアルコール、Ｃ２〜Ｃ６ポリオール、Ｃ６〜Ｃ１０エステル、Ｃ５〜Ｃ８ケトン（特に、環状ケトン）、Ｃ６〜Ｃ７アルデヒド、Ｃ３〜Ｃ８環状カルボネート、Ｃ３〜Ｃ８環状尿素、Ｃ２〜Ｃ６アミノアルコール、Ｃ３〜Ｃ６ジアミン、水混和性アミノシリコーン、例えばＳｉｌｉｃｏｎｅ  Ｑｕａｔｅｒｎｉｕｍ−８（ＩＮＣＩ名）、例えば、名称Ｓｉｌｓｅｎｓｅ  Ｑ−Ｐｌｕｓ  ＳｉｌｉｃｏｎｅでＮｏｖｅｏｎ社によって販売されるもの、ＰＥＧ−７  Ａｍｏｄｉｍｅｔｈｉｃｏｎｅ（ＩＮＣＩ名）、例えば、名称Ｓｉｌｓｅｎｓｅ  Ａ−２１  ＳｉｌｉｃｏｎｅでＮｏｖｅｏｎ社によって販売されるもの、及びそれらの混合物から選択される。
【００８０】
着色インクは、複数の異なる転写化合物、好ましくは少なくとも３つの異なる転写化合物、好ましくは少なくとも４つの異なる転写化合物を含んでもよく、転写化合物はそれぞれ、沸点が１２０℃以上、特に１２０℃〜３５０℃の範囲である。
【００８１】
例示的な一実施形態では、転写化合物は、少なくとも２つの異なるＣ２〜Ｃ６ポリオール、特に、少なくとも３つの異なるＣ２〜Ｃ６ポリオール、特に、少なくとも４つの異なるＣ２〜Ｃ６ポリオールの混合物を含む。
【００８２】
本発明の第２の実施形態によると、転写化合物は、水に非混和性である（２５℃での水への溶解性が、５質量％未満である）。このような転写化合物は、通常化粧品で使用される揮発性又は不揮発性の油から選択されてもよく、これは、任意選択で分枝状である、天然又は合成の、炭素系、炭化水素系又はフルオロ油から、単独又は混合物として選択されてもよい。
【００８３】
用語「不揮発性油」は、室温及び大気圧で少なくとも１時間皮膚に残存することができ、特に室温（２５℃）及び０．０１ｍｍＨｇ（１．３３Ｐａ）未満の大気圧で、ゼロでない蒸気圧を有する油を意味するよう意図される。
【００８４】
特に、不揮発性炭素系油、特に植物、鉱物、動物又は合成由来の炭化水素系油、例えば液体パラフィン（又はワセリン）、スクアラン、水素化ポリイソブテン（Ｐａｒｌｅａｍ油）、ペルヒドロスクアレン、マカダミア油、大豆油、スイートアーモンド油、照葉木（ｂｅａｕｔｙ−ｌｅａｆ）油、パーム油、ブドウ種子油、ゴマ油、コーン油、アララ油、菜種油、ヒマワリ油、綿実油、アンズ油、ヒマシ油、アボカド油、ホホバ油、オリーブ油、穀物胚芽油又はシアバター状の油；６個を超える炭素原子、特に、６〜３０個の炭素原子を含有する直鎖、分枝状又は環状エステル、例えば、ラノール酸、オレイン酸、ラウリン酸又はステアリン酸のエステル；長鎖の酸又はアルコール（すなわち６〜２０個の炭素原子を含有する）に由来するエステル、特に、式ＲＣＯＯＲ’のエステル（式中、Ｒは７〜１９個の炭素原子を含む高級脂肪酸残基を表し、Ｒ’は３〜２０個の炭素原子を含む炭化水素系鎖を表す）、特に、Ｃ１２〜Ｃ３６エステル、例えばミリスチン酸イソプロピル、パルミチン酸イソプロピル、ステアリン酸ブチル、ラウリン酸ヘキシル、アジピン酸ジイソプロピル、イソノナン酸イソノニル、パルミチン酸２−エチルヘキシル、ラウリン酸２−ヘキシルデシル、パルミチン酸２−オクチルデシル、ミリスチン酸又は乳酸２−オクチルドデシル、コハク酸ビス（２−エチルヘキシル）、リンゴ酸ジイソステアリル、及びトリイソステアリン酸グリセリル又はジグリセリル；高級脂肪酸、特に、Ｃ１４〜Ｃ２２の高級脂肪酸、例えばミリスチン酸、パルミチン酸、ステアリン酸、ベヘン酸、オレイン酸、リノール酸、リノレン酸又はイソステアリン酸；高級脂肪アルコール、特に、Ｃ１６〜Ｃ２２高級脂肪アルコール、例えばセタノール、オレイルアルコール、リノレイルアルコール又はリノレニルアルコール、イソステアリルアルコール又はオクチルドデカノール；並びにそれらの混合物を挙げることができる。
【００８５】
また、デカノール、ドデカノール、オクタデカノール、４〜１０個の炭素原子の液体脂肪酸トリグリセリド、例えばヘプタン酸トリグリセリド又はオクタン酸トリグリセリド、カプリル酸／カプリン酸トリグリセリド；鉱物又は合成由来の直鎖又は分枝状炭化水素、例えば液体パラフィン及びその誘導体、ワセリン、ポリデセン及び水素化ポリイソブテン、例えばＰａｒｌｅａｍ；合成エステル及びエーテル、特に脂肪酸の合成エステル及びエーテル、例えばパーセリン（ｐｕｒｃｅｌｌｉｎ）油、ミリスチン酸イソプロピル、パルミチン酸２−エチルヘキシル、ステアリン酸２−オクチルドデシル、エルカ酸２−オクチルドデシル又はイソステアリン酸イソステアリル；ヒドロキシル化エステル、例えば乳酸イソステアリル、ヒドロキシステアリン酸オクチル、ヒドロキシステアリン酸オクチルドデシル、リンゴ酸ジイソステアリル、クエン酸トリイソセチル又はヘプタン酸、オクタン酸及びデカン酸脂肪族アルキル；ポリオールエステル、例えばジオクタン酸プロピレングリコール、ジヘプタン酸ネオペンチルグリコール又はジイソノナン酸ジエチレングリコール；及びペンタエリスリトールエステル；１２〜２６個の炭素原子を含有する脂肪族アルコール、例えばオクチルドデカノール、２−ブチルオクタノール、２−ヘキシルデカノール又は２−ウンデシルペンタデカノールを挙げることができる。
【００８６】
揮発性化合物の中で、非シリコーン揮発性油、特に、Ｃ８〜Ｃ１６イソパラフィン、例えばイソドデカン、イソデカン及びイソヘキサデカンを挙げることができる。
【００８７】
より優先的には、室温で液体の揮発性又は不揮発性アルカンを挙げることができ、より特定すると、デカン、ヘプタン、ドデカン、イソドデカン、イソヘキサデカン、シクロヘキサン及びイソデカン、並びにそれらの混合物を挙げることができる。
【００８８】
水と非混和性の転写化合物の中で、イソドデカン（沸点：１８０℃）、ミリスチン酸イソプロピル（沸点：１６８℃）、イソステアリルアルコール（沸点：３３１℃）、ネオペンタン酸イソデシル（沸点：２７２℃）、イソノナン酸イソノニル（沸点：２８５℃）、オレイルアルコール（沸点：３１５℃）、２−オクチルドデカノール（沸点：３５８℃）、パルミチン酸イソプロピル（沸点：３４０℃）、イソステアリン酸イソプロピル（沸点：３６１℃）、及びそれらの混合物を使用してもよい。
【００８９】
本発明による着色インクはまた、ワックスを含んでもよい。
【００９０】
用語「ワックス」は、親油性化合物であって、室温（２５℃）で固体であり、可逆的な固体／液体の状態変化を有し、融点が３０℃以上であり、最大１２０℃であってもよい親油性化合物を意味するよう意図される。ワックスを液体状態（溶融）にすることにより、ワックスを存在し得る油と混和性にすることが可能であり、微視的に均質な混合物を形成することが可能であるが、混合物の温度を室温に戻すと、混合物の油の中で、ワックスが再結晶化する。ワックスの融点は、示差走査熱量計（ＤＳＣ）、例えばＭｅｔｔｌｅｒ社から名称ＤＳＣ  ３０で販売されている熱量計を使用して測定することができる。
【００９１】
ワックスは、炭化水素系ワックス、フルオロワックス及び／又はシリコーンワックスであってよく、植物、鉱物、動物及び／又は合成由来のものであってよい。特に、ワックスは融点が２５℃よりも高く、更に良好には、４５℃よりも高い。着色インクで使用されてもよいワックスとして挙げることができるのは、ビーズワックス、カルナウバワックス又はキャンデリラワックス、パラフィン、微結晶ワックス、セレシン又はオゾケライト；合成ワックス、例えばポリエチレンワックス又はフィッシャートロプシュワックス、１６〜４５個の炭素原子を含有する、アルキル若しくはアルコキシジメチコン等のシリコーンワックスである。
【００９２】
ワックスの性質及び量は、所望の機械的性質及びテクスチャによって異なる。指針として、着色インクは、着色インクの総質量に対して、０．０１〜３０質量％、更に良好には１〜２０質量％のワックスを含んでもよい。
【００９３】
着色インクは、有利には、複数の転写化合物の混合物を含み、転写化合物はそれぞれ、２５℃で水に混和性である。変形例として、着色インクは、複数の転写化合物の混合物を含み、転写化合物はそれぞれ、水に非混和性である。別の変形例として、着色インクは、複数の転写化合物の混合物を含み、かつ１つ又は複数の水に混和性の転写化合物、及び１つ又は複数の水に非混和性の転写化合物を含む。
【００９４】
また、例示的な一実施形態では、着色インクは、（２５℃で）液体であり、沸点が１２０℃未満の有機溶媒も含む。このような有機溶媒の例として、ｎ−ヘキサン（沸点：６９℃）、シクロヘキサン（沸点：８１℃）、酢酸エチル（沸点：７６℃）、ｎ−ヘプタン（沸点：９８℃）、酢酸イソブチル（沸点：１１６℃）、酢酸メチル（沸点：５７℃）、エタノール（沸点：７８℃）、ブタノール（沸点：１１７℃）、イソプロパノール（沸点：８１℃）、ｎ−プロパノール（沸点：９７℃）、及びそれらの混合物を挙げることができる。
【００９５】
特に記述されない限り、沸点は全て、大気圧、すなわち１０１３．２５ｍｂａｒ［１０１３．２５ヘクトパスカル（ｈＰａ）の圧力に相当する］で測定される。
【００９６】
着色インクは、水溶液、水性ゲル又はエマルションの形態であってもよい。
【００９７】
例示的な一実施形態では、着色インクはワックスを含み、例えば、加熱部材の近傍にインクを置くことにより、インクは使用時に軟化する。
【００９８】
ワックスは例えば、ケラチン物質に適用される前に、３０℃から６０℃の間の温度にされる。変形例として、ワックスは、メークアップされるよう意図されるケラチン物質のエリアと接触する間に、３０℃から６０℃の間の温度にされる。
【００９９】
着色インクが、適用前に３０℃から６０℃の間の温度にされるよう意図される場合、この温度にされる着色インクは爪に適用され、この上にメークアップ結果を生じてもよい。
【０１００】
着色インクを加熱部材に近接して置かれることにより、３０℃から６０℃の間の温度にしてもよい。変形例として、印刷直後に得られる着色インクは、既にこのような温度であってもよく、使用者はその後、着色インクが冷却する前に、ケラチン物質に着色インクをこの温度で適用することができる。
【０１０１】
例示的な一実施形態では、基材は非吸収性材料で作製され、例えばプラスチックで作製される。基材は有利には、少なくとも着色インクを受け入れるよう意図される面上で、非多孔質である。
【０１０２】
基材は、平坦であっても、そうでなくてもよい。
【０１０３】
例示的な一実施形態では、１つ又は複数の着色インクを有する領域のうちの１つ又は複数は、基材の一部から取外し可能である。
【０１０４】
例示的な一実施形態では、基材は、着色インクの全て又はいくつかでメークアップされるよう意図されるケラチン物質の性質に関する情報を含む。この情報は、基材に存在するインクのうちの１つと同じインク又は他のもので印刷されてもよい。
【０１０５】
例示的な一実施形態では、着色インクのうちの１つ又は複数が、頬及び／又は爪への転写によって適用されるよう意図される場合、基材は厚さが１ｍｍ以上、特に３ｍｍ以上、特に１〜５ｍｍの範囲であってもよい。
【０１０６】
例示的な一実施形態では、着色インクのうちの１つ又は複数が、眼周囲の領域及び／又は唇への転写によって適用されるよう意図される場合、基材は厚さが３ｍｍ以上、特に１ｍｍ以上、特に３〜２０ｍｍの範囲であってもよい。
【０１０７】
例示的な一実施形態では、着色インクのうちの１つ又は複数が、鼻及び／又は耳の領域への転写によって適用されるよう意図される場合、基材は厚さが１ｃｍ以上、特に３ｃｍ以上、特に１〜４ｃｍの範囲であってもよい。
【０１０８】
上述した基材の厚さは、ケラチン物質への転写によって適用されるよう意図される着色インクを有する表面に、垂直に測定される最大寸法に対応する。
【０１０９】
したがって、基材は有利には、メークアップされるケラチン物質のエリアに適合した厚さを有する。
【０１１０】
この態様の別の態様によると、本発明は、上記で定義されたデバイスを製造するための方法であって、少なくとも１つのプリンタを使用して、化粧用着色インク又は複数の異なる化粧用着色インクを、基材の領域又は複数の領域に堆積する段階を含む、方法に関する。
【０１１１】
プリンタは、インクジェットプリンタ、例えばサーマル又はピエゾ式（ｐｉｅｚｏｅｌｅｃｔｒｉｃ）プリンタ、昇華型プリンタ又は３Ｄプリンタ又はレーザープリンタ、特に不活性化定着装置を有するプリンタであってもよい。プリンタは、非平坦な物体への印刷を可能にする、食品グレードのインクジェットプリンタ、Ｇａｔｏｃｏｐｙ  Ａ４２６機械タイプであってもよい。
【０１１２】
一例では、プリンタは、電子写真又は磁気写真（ｍａｇｎｅｔｏｐｈｏｔｏｇｒａｐｈｙ）によって、少なくとも１つの化粧用トナーを使用して、転写表面にパターンを有するインクの層の形成を可能にするよう配置され、かつヒトのケラチン物質との接触により、取り上げられ、又は転写されるのに十分に自由な状態で、転写表面に存在するトナーを送達するよう配置されたレーザープリンタである。
【０１１３】
用語「化粧用トナー」は、レーザープリンタで使用される電子写真又は磁気写真方法による画像の形成に適合した粉状化粧用組成物を意味するとして理解されるべきである。好ましくは、化粧用トナーは、電子写真の使用に適したトナーである。
【０１１４】
トナーは、ヒトのケラチン物質への適用に適合するという意味では、化粧用である。メークアップされる表面によって、トナーの配合は異なってもよい。例えば、毛髪又は爪への適用では、例えば唇への適用のために使用されないであろうある種の化合物を使用することが可能である。
【０１１５】
インクが化粧用トナーの形態である場合、このトナーは、着色剤に加えて、電荷を制御するための化合物、特定の追加のフィラー、滑剤、ワックス及び／又はバインダを含んでもよい。
【０１１６】
好ましくは、トナーの粒子は、平均サイズが１μｍから１６μｍの間である。トナーは、例えば、粒径が１μｍから１０μｍの間の顔料を含む。
【０１１７】
有利には、印刷は異なる色のいくつかのインクを使用する。
【０１１８】
印刷は、少なくとも３つ、特に少なくとも４、５、６、７、８、９、１０、１１又は１２の異なる色の着色インクを使用してもよい。
【０１１９】
印刷は、原色を生じる着色インクのみを使用してもよい。変形例として、印刷は、原色に対応する着色インク、及び少なくとも１つの非原色に対応する着色インクの両方を使用する。
【０１２０】
着色インクの印刷は、３色又は４色印刷であってもよい。
【０１２１】
例示的な一実施形態では、方法は、使用者によって、印刷される着色インクのセットを選択する段階と、印刷を行う少なくとも１つのプリンタに接続される機械の手段によって、このセットに関する情報を送信する段階とを含む。
【０１２２】
機械は、コンピュータ、「スマートフォン」としても知られる先進携帯電話、又はタブレットコンピュータであってもよい。機械は、物理的に、かつ／又はデータ交換ネットワークの手段により、前記プリンタに接続されてもよい。
【０１２３】
例示的な一実施形態では、方法は、コンピュータ媒体に記憶された印刷される着色インクの層の性質に関する情報を回収する段階を含み、印刷はこの情報に従って実施される。
【０１２４】
例えば、方法は、使用者に提案される着色インクのいくつかのセットの中で、印刷される着色インクのセットを使用者が選択する段階を含み、提案されるセットに関する情報は、コンピュータ媒体に記憶され、また、方法は、印刷を行う少なくとも１つのプリンタに接続される機械の手段によって、選択されたセットに関する情報を送信する段階も含む。
【０１２５】
機械は、物理的に、かつ／又はデータ交換ネットワークの手段により、コンピュータ媒体に接続されてもよい。
【０１２６】
本発明は、有利には、使用者間で、印刷されるメークアップデバイスに関するファイルを交換する可能性を与える。
【０１２７】
したがって、使用者は、印刷される着色インク又は着色インクのセットを、提案される着色インクのいくつかのセットから選択でき、これらのセットはアーティスト及び／又は他の使用者によって生成されたものである。
【０１２８】
例示的な一実施形態では、印刷される着色インクの１つ又は複数のセット、及びこれらのセットに関連するメークアップアドバイスが、使用者に提案され得る。メークアップアドバイスは、着色インクをケラチン物質に、及び／若しくはメークアップされるケラチン物質のエリアに適用する方法に関する情報を提供でき、かつ／又は、印刷される着色インクの全て若しくはいくつかと組み合わせて適用されるよう意図される追加のメークアップ組成物を提案できる。
【０１２９】
例示的な一実施形態では、使用者は、生産されるメークアップデバイスについてのカスタマイズされたアドバイスを受け取る。例えば、使用者は、印刷される層の着色インクによって生じる光学的効果についての情報、及び／又は前記インクの性質についての情報、及び／又は層の着色インクが適用されるよう意図されるケラチン物質のエリアについての情報を提供する、コンピュータファイルを受け取る。コンピュータファイルは、データ交換ネットワークの手段により、例えばインターネット経由で、使用者に送信され得る。
【０１３０】
変形例として、使用者は、製造されるメークアップデバイスを設計し、デバイスの生産のために、印刷される層の着色インクによって、ケラチン物質への適用後に生じる光学的効果についての情報、及び／又は前記インクの性質についての情報、及び／又は着色インクが適用されるよう意図されるケラチン物質のエリアについての情報を提供する、コンピュータファイルを送信する。デバイスはその後、送信されたファイルから自動的に製造される。
【０１３１】
例示的な一実施形態では、方法は、印刷前に、印刷される着色インクのうちの１つ又は複数で被覆されたケラチン物質の外観をシミュレーションする段階を含み、被覆されたケラチン物質の外観のシミュレーションが、機械のスクリーンに表示される。
【０１３２】
有利には、このようなシミュレーションは、使用者が使用者自身をメークアップ構成のスクリーン上に見ることを可能にするので、印刷されるメークアップデバイスを最適化することを助ける。
【０１３３】
例示的な一実施形態では、着色インクの選択は、メークアップされるケラチン物質の外観に関する情報に従ってなされ、特に、メークアップされるケラチン物質の少なくとも１つの画像の取得後に、かつ／又はこれらのケラチン物質の少なくとも１つの光学的特性の少なくとも１つの測定後になされる。
【０１３４】
例示的な一実施形態では、方法は、データ記憶媒体に、製造されるデバイスに関する情報を記録する段階を含み、情報が、好ましくは、製造されるデバイスに存在する着色インクの性質、及び／又は製造されるデバイスの着色インクの全て若しくはいくつかで被覆されるよう意図されるケラチン物質の性質に関する。
【０１３５】
したがって、本発明は、有利に、使用者が理想的なメークアップデバイスを思い出すことを可能にする。この時、プリンタの使用は、新しい印刷の度に、完璧な再現性を使用者に与える。
【０１３６】
例示的な一実施形態では、前記少なくとも１つのプリンタが、着色インクの堆積物の第１の画分を得ることを可能にする印刷の第１ラウンドを行った後、第１の画分に重ねられる着色インクの堆積物の第２の画分を得ることを可能にする印刷の少なくとも１つの第２ラウンドを行う。したがって、層を印刷するために、着色インクは印刷のいくつかのラウンドで堆積できる。
【０１３７】
印刷のいくつかのラウンドを行うことは、基材に堆積する着色インクの量を増加させることにより、本発明によるデバイスの使用期間を改善することを可能にできる。
【０１３８】
例示的な一実施形態では、印刷される着色インクの全て又はいくつかは、ケラチン物質に転写可能なパターンを形成する。パターンは、基材の印刷表面をケラチン物質に対して、指で、又はアプリケータで、例えばロール、ブラシ、微細ブラシ、若しくはスポンジ、特に合成発泡体で作製されたスポンジで押すことにより転写されてもよい。
【０１３９】
着色インクにより形成されるパターンは、異なる色のいくつかのエリアを含んでもよい。変形例として、パターンは一律の色合いである。
【０１４０】
変形例として、着色インクは色のグラデーションを形成してもよく、特に眼周囲のエリアに適用されるよう意図される。変形例として、着色インクの全て又はいくつかは、皮膚の起伏及び／又は色の不均一性の外観、例えば皮膚のきめ若しくはそばかす、そうでなければ擬似眉毛を再現するパターンを形成する。この場合、適用は、印刷されたパターンを保つために、転写によって実施される。
【０１４１】
基材は再使用可能であってもよい。例えば、印刷は、アクセス可能であるが、プリンタを離れない基材上で行われる。したがって、使用後に、プリンタは基材を再統合し、クリーニングし、新しい印刷への準備をさせることができる。
【０１４２】
この態様の別の態様によると、本発明は、ヒトのケラチン物質をメークアップするための方法であって、本発明によるデバイスに存在する少なくとも１つの着色インクの全て又はいくつかを、ヒトのケラチン物質、特に皮膚、特に頬及び／又はまぶたに適用することにある段階を含む、方法に関する。
【０１４３】
例示的な一実施形態では、着色インクの全て又はいくつかで被覆されるよう意図されるケラチン物質は、適用前に、着色インクの適用を改善するよう意図される媒体液体化合物で覆われておらず、かつ／又は方法は、基材によって支えられる着色インクの全て又はいくつかに、適用を改善するよう意図される媒体液体化合物を添加する段階を欠く。
【０１４４】
したがって、メークアップされるよう意図されるケラチン物質のエリアは、有利には、適用時に前処理されていない。
【０１４５】
変形例として、メークアップされるよう意図されるケラチン物質のエリアは、適用前に、媒体液体化合物、例えばエタノール又はイソドデカンで覆われて、着色インクの全て又はいくつかの適用を改善することを可能にし、かつ／又は適用を改善するよう意図される媒体液体化合物は、基材によって支えられる着色インクの全て又はいくつかに、適用前に添加されている。
【０１４６】
例示的な一実施形態では、適用を改善することを可能にする媒体液体化合物の添加は、着色インクの全て又はいくつかを溶解すること又はより流動性にすることのみを可能にし、例えば、メークアップデバイスの基材、及び／又は任意選択で存在する接着剤の層を溶解すること又はより流動性にすることを可能にしない。
【０１４７】
例示的な一実施形態では、複数の着色インクが、ケラチン物質への適用前に混合され、混合物の全て又はいくつかが、ケラチン物質に適用される。
【０１４８】
着色インクは基材上で、例えば最初は着色インクを有さない基材のエリア内で混合されてよく、又は、変形例として、基材と連結されていない支持体上で混合されてもよい。
【０１４９】
例示的な一実施形態では、着色インクの全て又はいくつかは、色の不均一性、例えば顔に存在する、例えばあざ又は色素異常を呈するケラチン物質の領域に適用される。
【０１５０】
例示的な一実施形態では、第１の層から取られる着色インクが、ケラチン物質の第１のエリアに適用され、第１の層とは異なる第２の層から取られる着色インクが、ケラチン物質の第１のエリアとは異なる第２のエリアに適用される。
【０１５１】
得られるメークアップ結果は、いくつかの着色インクをケラチン物質、例えば顔上に並置することから生じる。
【０１５２】
変形例として、最初に、いくつかの着色インクを並置してケラチン物質上に堆積させた後、これを混合してメークアップ結果を得ることが可能である。
【０１５３】
変形例として、最初に、いくつかの着色インクを並置してケラチン物質、例えばまぶた及び／又は頬に堆積させた後、生じた着色インクの堆積物の全部又は一部を広げて、例えばグラデーション効果を得ることが可能である。有利には、堆積した着色インクは、広げた後に混合しない。
【０１５４】
本発明による例示的な一実施形態では、方法はまた、ケラチン物質上に得られるメークアップを仕上げる段階も含み、これにより、例えばメークアップされたエリアとメークアップされていないエリアとの間の境界を弱める。得られるメークアップの仕上げは、１つ又は複数の着色インクを広げて、例えばシェードオフを生じる段階を含んでもよい。
【０１５５】
仕上げは、生じたメークアップの一部分だけの摩擦、例えば、まぶたに生じるメークアップの場合、上部の摩擦により実施されてもよい。
【０１５６】
着色インクの全て又はいくつかが、ケラチン物質に転写するよう意図されるパターンを形成する場合、使用者は、着色インクをケラチン物質に転写する前に、仕上げを実施してもよい。
【０１５７】
したがって、例示的な一実施形態では、方法は、基材により支えられる着色インクにより形成されるパターンを仕上げる段階を含み、仕上げは、例えばパターンの一部分だけの摩擦により実施され、例えばまぶたに適用されるよう意図されるパターンの場合、上部の摩擦により実施される。
【０１５８】
例示的な一実施形態では、方法はまた、着色インクとは異なる追加の化粧用組成物を適用する段階も含み、前記追加の化粧用組成物が、デバイスに存在する着色インクのうちの少なくとも１つの性質、及び／又はデバイスの着色インクの全て若しくはいくつかで被覆されるよう意図されるケラチン物質の性質に従って、機械によって使用者に提案される。
【０１５９】
このような追加の組成物の使用は、有利に、特に魅力的なメークアップ結果を得ること、例えば魅力的な日焼け及び／又はシャドー効果を得ることを可能にする。
【０１６０】
例示的な一実施形態では、着色インクがデバイスからアプリケータを使用して取られ、前記アプリケータを使用してケラチン物質に適用される。
【０１６１】
アプリケータは、アプリケータロール、アプリケータパッド、シート要素、パッチ、マスク、多孔質発泡体、スポンジ、ワイプ、ブラシ、微細ブラシ、スパチュラ又は植毛チップから選択されてもよい。
【０１６２】
アプリケータは、毛管作用により、着色インクを保ってもよい。
【０１６３】
変形例として、基材に存在する着色インクの全て又はいくつかは、ケラチン物質への転写により適用される。
【０１６４】
例示的な一実施形態では、着色インクのケラチン物質への適用が、着色インクを媒体液体化合物に接触させずに、特に媒体液体に接触させずに実施される。
【０１６５】
この態様の別の態様によると、本発明は、同じパッケージ内に、上記で定義されたメークアップデバイスと、着色インクの全て又はいくつかをヒトのケラチン物質に適用するためのアプリケータとを含む、化粧用アセンブリに関する。
【０１６６】
この態様の更に別の態様によると、本発明は、同じパッケージ内に、上記で定義された本発明による複数の異なるメークアップデバイスを含む、化粧用アセンブリに関する。
【０１６７】
メークアップデバイスは、デバイスが有するインクの性質により、特にその色により異なっていてもよい。
【０１６８】
この態様の更に別の態様によると、本発明は、同じパッケージ内に、上記で定義されたメークアップデバイスと、デバイスによって支えられる着色インクの全て又はいくつかと組み合わせて適用されるよう意図される追加の化粧用組成物、特にメークアップ組成物とを含む、化粧用アセンブリに関する。
【０１６９】
本発明は、以下のその限定されない実施例の記述を読めば、また以下の添付図面を参照すれば、より深く理解できる。
【図面の簡単な説明】
【０１７０】
【図１】本発明によるメークアップデバイスの例を表す図である。
【図２】本発明によるメークアップ方法の実施を示す図である。
【図３】本発明によるメークアップデバイスを製造するための方法の段階を図示するブロック図である。
【図４】本発明によるメークアップデバイスの変形例を表す図である。
【図５】本発明によるメークアップデバイスの変形例を表す図である。
【図６】本発明によるメークアップデバイスの変形例を表す図である。
【図７】本発明によるメークアップデバイスの変形例を表す図である。
【図８】本発明によるメークアップデバイスの変形例を表す図である。
【図９】本発明によるメークアップ方法の変形例を示す図である。
【図１０】本発明によるメークアップ方法の変形例を示す図である。
【図１１】本発明によるデバイスを製造するための方法の変形例の段階を図示するブロック図である。
【図１２】本発明による化粧用アセンブリの例示的な実施形態を表す図である。
【図１３】本発明による化粧用アセンブリの例示的な実施形態を表す図である。
【図１４】本発明による化粧用アセンブリの例示的な実施形態を表す図である。
【発明を実施するための形態】
【０１７１】
図１は、本発明によるメークアップデバイス１の例を表す。デバイス１は、いくつかの領域３１、…、３４に分割された印刷表面３を有する基材２を含み、領域のそれぞれは、異なる化粧用着色インク４１、…、４４の層を含む。示されるように、着色インク４１、…、４４の層は、様々な色の層であってもよく、例えば同じシェード及び異なる彩度の層、又は異なるシェード及び同じ彩度の層、又は異なるシェード及び彩度の層であってもよい。
【０１７２】
基材２は、好ましくは、可撓性材料で作製される。変形例として、基材２は、剛性又は半剛性材料で作製される。
【０１７３】
着色インク４１、…、４４の層の側面に置かれる基材２の面の全部又は一部は、好ましくは平滑であり、粗さが１ｍｍ以下、特に１μｍから１００μｍの間、好ましくは５０μｍ以下である。粗さは、粗さ計を使用して測定され、粗さ計の先端は曲率半径が１０ｍｍであり、評価される材料に適用される力は６ｍＮである。
【０１７４】
図示されるように、領域３１、…、３４は互いに接触しており、起伏によって分離されていない。
【０１７５】
着色インク４１、…、４４の層の全て又はいくつかのレベルでの印刷の解像度は、１６ｄｐｉから１６００ｄｐｉの間であってもよい。
【０１７６】
図１の例では、各インクは一律の色合いの形態で堆積し、例えば２ｃｍ２以上のエリアにわたって広げられる。
【０１７７】
層４ｉの色は、対応する領域に堆積した基本色の減色合成から生じ、この基本色はそれぞれ、印刷によって、例えばラスタスポットの形態で堆積する。変形例として、単一のインクが領域に堆積し、この層の色は堆積したインクの実際の色に対応する。
【０１７８】
例えば、領域に赤色インクの層を生成するために、本質的に赤いインク、又は重なったラスタスポットの形態のマゼンタ及びイエローインクを、基材に適用することが可能である。
【０１７９】
図１のデバイス１の領域３ｉに印刷された層４ｉから着色インクを採取することは、図２に図示されるように、把持部１２及び適用部１１を含むアプリケータ１０を使用して実施され得る。アプリケータ１０は、図示されるように、微細ブラシの形態であってもよい。
【０１８０】
このように、着色インクで充填された適用部１１は、その後、メークアップされるケラチン物質と接触する。使用者は、適用前に、適用部１１を使用して、異なる領域に存在する着色インク４１、…、４４のいくつかの層を混合し、生じた混合物をケラチン物質に適用できる。混合は、基材２の印刷表面３上で、若しくは別個の支持体上で、又は更には皮膚上でインサイチュで実施され得る。
【０１８１】
本発明によるデバイスを製造するための方法の例を、図３を参照して、今から記載していく。
【０１８２】
第１の段階３０では、着色インクの様々なセットが、例えば機械のスクリーンに表示することにより、使用者に提案される。使用者による印刷される着色インクのセットの選択の段階３１は、例えばタッチスクリーンで実施され得る。
【０１８３】
また、機械は、使用者にメークアップ結果のシミュレーションを提供するように配置されてもよい。したがって、機械は、選択されたセットの着色インクのうちの１つ又は複数でメークアップされたケラチン物質の外観のシミュレーションを表示してもよい。シミュレーションを行うために、機械は、メークアップされるケラチン物質の少なくとも１つの画像を取得してもよい。
【０１８４】
一変形例では、使用者は、印刷したいと思う着色インクのセットを列挙するコンピュータファイルを作成する。
【０１８５】
一度着色インクのセットが選択されると、機械は、段階３２で、基材に着色インクを印刷するために要求されるデータをプリンタに送る。
【０１８６】
機械は、物理的に、かつ／又はネットワークの手段により、印刷を行うプリンタに接続されてもよい。
【０１８７】
一度データが受信されると、段階３３で、着色インクが基材に印刷される。
【０１８８】
プリンタドライバは、使用される化粧用インクカートリッジを、プリンタに取り付けられた他のカートリッジの中から選択し、かつ／又は印刷される基材の性質を選択するためのメニューを含んでもよい。変形例として、プリンタは自動的に、使用されるカートリッジが化粧用インクを含むことを認識し、運転パラメータを適宜調節する。したがって、カートリッジは、識別装置、例えば電子チップを含んでもよく、これにより、カートリッジが含有する着色インクの性質に関する情報、特に前記インクが化粧用性質のものであることをプリンタに提供してもよい。
【０１８９】
例示的な一実施形態では、ヒトのケラチン物質、特に皮膚、爪又は唇と接触して置かれるよう意図されない組成物を含むカートリッジの存在が検出される場合、プリンタは印刷を禁止するように構成される。
【０１９０】
変形例として、ヒトのケラチン物質、特に皮膚、爪又は唇と接触するよう意図されない組成物を含むカートリッジの存在が検出される場合でも、プリンタは印刷を行ってもよく、この非化粧用インクカートリッジは、場合により、基材により支えられる化粧用着色インクのうちの少なくとも１つに関する情報、及び／又はメークアップされるケラチン物質の性質に関する情報の断片を基材に印刷するために使用される。
【０１９１】
基材の印刷は、いくつかの通過で起こってもよく、連続したインクの堆積物を同じ場所に作製して、基材に堆積するインクの量を増加させてもよい。基材は、例えばプリンタ内を１回から２０回の間通過してもよく、堆積した化粧用インク乾燥物の量は、例えば、０．０１ｍｇ／ｃｍ２〜１００ｍｇ／ｃｍ２、又は更には０．１ｍｇ／ｃｍ２〜１０ｍｇ／ｃｍ２、更に良好には０．２ｍｇ／ｃｍ２〜１０ｍｇ／ｃｍ２、特に、０．２ｍｇ／ｃｍ２〜５ｍｇ／ｃｍ２の範囲である。
【０１９２】
プリンタは、例えば２点間の電気伝導度を測定することによって、新しいインクの層の印刷前に、予め基材に堆積したインクが十分に乾燥しているかを検出するように配置されてもよい。プリンタ及び／又はプリンタドライバは、既に印刷された基材に更なる印刷を行う前に、所定の時間待つ必要性を使用者に知らせるように作製されてもよい。十分な乾燥を可能にするために十分な時間が経過していない場合、プリンタ及び／又はドライバは、既に印刷された基材の印刷を自動的に一時停止してもよい。印刷されるインクの全ての層が印刷されていない限り、プリンタは、好ましくは、印刷される基材を送達しないように配置される。
【０１９３】
図４に表されるのは、本発明によるデバイス１の変形例であって、着色インクの層４１、…、４４が、領域３１、…、３４を接続する経路Ｃに沿って色のグラデーションを生じるデバイス１の変形例である。経路Ｃは、図示されるように、直線的であってもよい。経路が別の形状を有する場合、これは本発明の範囲からの逸脱を表さない。
【０１９４】
図４に図示されるように、領域３１、…、３４は、この場合には経路Ｃと組み合わされる縦軸Ｘに沿って延びる帯を形成する。
【０１９５】
Ｌ、Ｃ＊、ｈ、ａ及びｂから選択される少なくとも１つの比色特性は、様々な領域３１、…、３４の間で、連続的に展開し得る。図示されるように、様々な領域３１、…、３４の間で、視認できる境界がないこともある。
【０１９６】
図５に表されるのは、デバイス１が、縦軸Ｘに沿って互いに続く複数の領域を含む実施変形例である。領域のうちのそれぞれは、異なる一律の色合いを生じる着色インクの層を有する。領域３１、…、３７は、図４のように、帯を形成する。一方、図４とは異なり、２つの連続した領域が、これらの間で視認できる境界５１、…、５６を呈する。
【０１９７】
図６に表されるのは、本発明によるメークアップデバイス１の例であって、領域３１、…、３４のうちのそれぞれは、基材２によって支えられるインジケータ２０１、…、２０４に関連しており、これにより、この領域によって支えられる着色インクが適用されるよう意図されるケラチン物質のエリアの場所に関する情報を提供することが可能であるメークアップデバイス１の例である。適用は、指で、又はアプリケータで、例えばロール、ブラシ、微細ブラシ、若しくはスポンジ、特に合成発泡体で作製されたスポンジで実施されてもよい。
【０１９８】
デバイス１は、図示されるように、メークアップされるケラチン物質のエリア、例えば図示される例では顔の描写２１を含んでもよい。描写２１は、明白な表示２２１、…、２２４の手段により、様々な着色インクでメークアップされる位置を明らかにでき、この表示２２１、…、２２４は、インジケータ２０１、…、２０４と同一であってもよい。
【０１９９】
インジケータ２０１、…、２０４は、英数字及び／又は幾何学記号を含んでもよい。
【０２００】
図７に表されるのは、本発明によるデバイスであって、様々な着色インクの層４１、…、４４が、層の間で互いに異なる色以外の視認できる光学的効果、例えば異なる明るさの光学的効果を生じるデバイスである。領域３ｉは、同じ色であってもよく、したがって明るさのみにより異なってもよい。変形例として、色及び明るさの両方が、領域の間で互いに異なってもよい。
【０２０１】
着色インクの全て又はいくつかはそれぞれ、図８に図示されるようなパターンを形成してもよい。パターンは、単色又は多色であってもよい。この例示的な実施形態では、着色インクの全て又はいくつかは、転写によって適用されてもよい。例えば、様々な領域３１、…、３４は、基材２の残りから取外し可能であり、メークアップされるケラチン物質に対して基材を押すことによる転写により、パターンの適用を可能にするように構成されている。
【０２０２】
図９に図示されるのは、本発明による方法の変形例であって、着色インクの層４が加熱部材４０の熱に曝露され、これにより、加熱後に、着色インクの層４が流動化し、又はより流動性になる方法の変形例である。
【０２０３】
このように再加熱された着色インクの層は、その後、任意選択で、着色インクの層が、加熱から得られた最高温度に対して、例えば少なくとも５℃下がるのに十分な時間の後に、ただし十分に高温のままで、メークアップされるケラチン物質に適用される。
【０２０４】
図１０に図示される変形例では、水等の溶媒５１が、インクの層４に噴霧される。前記層は、例えば固体形態であり、このように噴霧された溶媒は、層が湿ることを可能にする。また、インクは固体でなくてもよいが、噴霧される溶媒は、インクをより流動性にすることを助ける。一度湿った着色インク４は、その後、ケラチン物質に適用される。溶媒は、例えば、使用者が作動させるエアロゾル式の加圧容器５０を使用して噴霧される。
【０２０５】
本発明によるデバイスを製造するための方法は、図１１に図示されるように、段階３１で選択されたセットの着色インクの全て又はいくつかで被覆されたケラチン物質の外観をシミュレーションする段階３４を含んでもよい。このシミュレーションの結果は、機械のスクリーンに表示されてもよく、例えば段階３１で、着色インクが使用者に提案されたスクリーンと同じスクリーンに表示されてもよい。
【０２０６】
変形例として、メークアップされたケラチン物質の外観のシミュレーションは、着色インクのセットが使用者に提案される時に同時に、かつ着色インクのセットの選択の前に提供される。印刷の最後に、選択された着色インクの性質に関する情報が、例えば将来の再印刷のために、データ記憶媒体に記録されてもよい。
【０２０７】
図１２に表されるのは、本発明による化粧用アセンブリ６０の例である。前記アセンブリは、同じパッケージ内に、着色インクの様々な層４１、…、４４を有するパレットの形態の本発明によるメークアップデバイス１と、把持部１２及び適用部１１を含むアプリケータ１０とを含み、この適用部１１は、着色インクをケラチン物質に適用するために、着色インクの全て又はいくつかを採取するよう意図される。
【０２０８】
図１３に表されるのは、本発明による化粧用アセンブリ７０の別の例である。前記アセンブリは、同じパッケージ内に、本発明による複数のデバイス１を含み、この複数のデバイス１はそれぞれ、デバイス１が有する着色インクの性質により異なる。このパッケージでは、デバイス１が有する着色インクを受け入れるよう意図されるケラチン物質の性質により異なるデバイス１を有することが可能である。例えば、第１のデバイスは、皮膚に適用されるよう意図される着色インクのみを含んでもよく、第１のデバイスとは異なる第２のデバイスは、唇又は睫毛に適用されるよう意図される着色インクのみを含んでもよい。
【０２０９】
図１４に表されるのは、本発明による化粧用アセンブリ８０の別の例示的な実施形態である。前記アセンブリは、同じパッケージ内に、本発明によるデバイス１と、着色インクの全て又はいくつかと組み合わせてケラチン物質に適用されるよう意図される、追加の化粧用組成物８１、特にメークアップ組成物も含む。
【０２１０】
図１２及び図１４の例では、パッケージは密閉され、インクの乾燥を防いでもよい。パッケージは、インクと基材以外の表面との接触を回避する手段と共に作製されてもよく、早すぎる転写のリスクを減少させてもよい。例えば、パッケージは、熱成形シェルを有し、この熱成形シェルの壁は、インクで覆われた基材のエリアからある距離を置いて延びる。
【実施例】
【０２１１】
下記の表で与えられる配合に対応する４つの着色インクを調製した。
【０２１２】
【表１】
0006643997.tif 000002
【０２１３】
これらの組成物は、Ｃａｎｏｎ印刷カートリッジ内に導入された後、Ｃａｎｏｎ  Ｐｒｉｘｍａ  ＩＰ１００インクジェットプリンタで使用され、このプリンタは、４つの領域を含むメークアップパレットを、たった１つのインクの層にそれぞれ対応する一律の色合いの形態で印刷するように構成されている。印刷は、商業用プリンタ用の透明なプラスチックシート（平滑面）上で、インクのそれぞれを独立して使用して行われる。
【０２１４】
それぞれの印刷の後、８分放置して、堆積した着色インクの全て又はいくつかを、特に微細ブラシを使用して採取し、皮膚のエリア、例えば腕に適用する。
【０２１５】
表現「…を含む」は、「少なくとも１つの…を含む」と同義的に理解されるべきである。表現「…から…の間」及び「…〜…の範囲」という用語は、上下値を含むと理解されるべきである。
【符号の説明】
【０２１６】
１  メークアップデバイス
２  基材
３１、…、３ｎ  領域
４１、…、４ｎ  着色インクの層
１０  アプリケータ
２０１、…、２０ｎ  インジケータ
６０  化粧用アセンブリ
【図１】
0006643997.tif 000003
【図２】
0006643997.tif 000004
【図３】
0006643997.tif 000005
【図４】
0006643997.tif 000006
【図５】
0006643997.tif 000007
【図６】
0006643997.tif 000008
【図７】
0006643997.tif 000009
【図８】
0006643997.tif 000010
【図９】
0006643997.tif 000011
【図１０】
0006643997.tif 000012
【図１１】
0006643997.tif 000013
【図１２】
0006643997.tif 000014
【図１３】
0006643997.tif 000015
【図１４】
0006643997.tif 000016